(57)【要約】【課題】  溶液と共に容器に収められている磁性粒子を、非接触かつ短時間で均一に分散する。【解決手段】  磁性粒子と溶液が入った容器の外部から磁界を作用させて、磁性粒子を溶液相と気相の界面に沿った位置に集磁し、容器を水平方向に振動させることにより磁性粒子を分散する。【選択図】  図３
2018094515.tif 000002
【特許請求の範囲】
【請求項１】
磁性粒子と溶液が入った容器の外部から磁界を作用させて、
前記磁性粒子を溶液相と気相の界面に沿った位置に集磁し、
前記容器を水平方向に振動させる、
磁性粒子の分散方法。
【請求項２】
前記磁性粒子が前記界面の面積の９０％以上となるように広がった状態で集磁することを特徴とする請求項１に記載の分散方法。
【請求項３】
前記容器を水平方向に振動させると同時に又は振動させる前に、前記磁界を解除又は減衰させる、請求項１又は２に記載の磁性粒子の分散方法。
【請求項４】
磁性粒子と溶液が入った容器の外部から磁界を作用させて前記磁性粒子を溶液相と気相の界面に沿った位置に集磁する集磁手段と、
前記容器を水平方向に振動させる攪拌手段と、
を備えた分散装置。
【請求項５】
前記容器が一次元方向又は二次元方向に複数個配列されている、請求項４に記載の分散装置。
【発明の詳細な説明】
【技術分野】
【０００１】
本発明は、磁性粒子を含む凍結乾燥試薬の製造に適した、磁性粒子の分散方法及び分散装置に関するものである。
【背景技術】
【０００２】
溶液中に磁性粒子を分散して反応させる凍結乾燥試薬の製造は、磁性粒子を含む懸濁液を調製したのち所定量の懸濁液を容器に分注し、凍結工程、乾燥工程を経る方法が一般的である。溶液に比べて比重の大きな磁性粒子を用いる場合は分注後、凍結工程に移動するまでに容器内で磁性粒子が自然沈降する。磁性粒子の分注から凍結工程への移動に長時間を要する製造設備においては磁性粒子の大部分が容器底部に沈降することもあり、この状態で凍結乾燥すると磁性粒子が製剤の底部に偏在する。
【０００３】
一方、凍結乾燥試薬を保存する容器が測定容器を兼ねる測定法において、前記磁性粒子が容器底部に偏在した凍結乾燥試薬を用いると、測定装置上で凍結乾燥試薬を溶解後、所定の攪拌時間内に磁性粒子の十分な分散が達成されず、測定値が変動するという問題が生じる。そこで、磁性粒子を含む溶液を、凍結乾燥の凍結工程に導入する直前に短時間で均一に分散する方法が望まれる。
【０００４】
磁性粒子の分散方法は分析法の分野においては、例えば特許文献１に示されているように攪拌翼を容器内に投入し、磁性粒子を溶液中に分散する方法があるが、攪拌翼の剪断応力により磁性粒子表面が損傷を受ける、さらには撹拌翼による他容器内へのキャリーオーバーが生じる、等の課題をもつ。また、特許文献２は磁石を用いて磁性粒子を容器内壁面に集磁したのち、容器を往復揺動して非接触で磁性粒子を溶液中に分散する方法を開示しているが、容器内壁面に強く集磁するために磁性粒子同士が凝集する、又は集磁面に付着する可能性がある。これらを均一に分散するには攪拌時間を長くする、又は攪拌強度を上げる等の工夫が必要になる。したがって、特許文献１又は２のいずれの方法を用いても磁性粒子にとって過酷な攪拌条件となり、磁性粒子を含む凍結乾燥試薬の製造に適した分散方法とはいえない。
【先行技術文献】
【特許文献】
【０００５】
【特許文献１】特開２０１０−１０１６７７号公報
【特許文献２】特開２０１５−１４８５１０号公報
【発明の概要】
【発明が解決しようとする課題】
【０００６】
容器に収容された磁性粒子を含む凍結乾燥試薬を製造するにあたり、凍結工程の直前において磁性粒子を非接触かつ短時間で均一に分散する方法及びそれを用いた分散装置を提供することを目的とする。
【課題を解決するための手段】
【０００７】
本発明者らは、鋭意検討を行った結果、磁性粒子と溶液が入った容器の外部から磁界を作用させて、磁性粒子を溶液相と気相の界面に沿った位置に集磁し、容器を水平方向に振動させることにより、磁性粒子を非接触かつ短時間で均一に分散させる方法を見出し、本発明を完成するに至った。
【０００８】
前記課題を解決し、目的を達成するためになされた本発明は、以下の発明を包含する。
【０００９】
すなわち、本発明の第一の態様は、
磁性粒子と溶液が入った容器の外部から磁界を作用させて、磁性粒子を溶液相と気相の界面に沿った位置に集磁し、容器を水平方向に振動させる、磁性粒子の分散方法である。磁性粒子は、前記界面の面積の９０％以上となるように広がっていることが好ましい。
また、前記容器を水平方向に振動させると同時に又は振動させる前に、前記磁界を解除又は減衰させることが好ましい。
【００１０】
次に、本発明の第二の態様は、
磁性粒子と溶液が入っている容器の外部から磁界を作用させて前記磁性粒子を溶液相と気相の界面に沿った位置に集磁する集磁手段と、
前記容器を水平方向に振動させる攪拌手段と、
を備えた分散装置である。
また、前記容器は一次元方向又は二次元方向に複数個配列されていても良好な分散が可能である。
【発明の効果】
【００１１】
本発明により、溶液と共に容器に収められている磁性粒子の分散を行う際に、容器の外部から磁界を作用させて容器内の磁性粒子を溶液相と気相の界面に沿った位置に集磁し、容器を水平方向に振動させることにより、磁性粒子を非接触かつ短時間で均一に分散することができる。
【図面の簡単な説明】
【００１２】
【図１】本発明の略円筒形容器に適用した分散装置の一例を示す正面図である。
【図２】本発明の略円筒形容器に適用した分散装置の一例を示す平面図である。
【図３】図１又は２に示す分散装置を用いた磁性粒子の集磁完了時の容器の断面図である。
【図４】本発明の９６穴マイクロタイタープレートに適用した分散装置の一例を示す正面図である。
【図５】本発明の９６穴マイクロタイタープレートに適用した分散装置の一例を示す平面図である。
【図６】図４又は５に示す分散装置を用いた磁性粒子の集磁完了時の９６穴マイクロタイタープレートの断面図である。
【発明を実施するための形態】
【００１３】
以下に本発明を更に詳細に説明する。
【００１４】
本発明で用いられる、磁界を作用させる手段としての磁石は特に限定はなく、永久磁石又は電磁石が制限なく使用できる。永久磁石はアルニコ磁石、ＫＳ鋼、ＭＫ鋼、フェライト磁石、サマリウムコバルト磁石、ネオジム磁石等が例示できる。電磁石は直流電磁石又は交流電磁石でも構わない。永久磁石の場合は硬質素材の固定部材に固定し、容器と磁石との距離を、前記固定部材を移動して調節する方法が例示される。硬質素材としては、ポリエチレン、ポリプロピレン、ポリスチレン、ポリアクリル酸、ポリ塩化ビニル、ポリ塩化ビニリデンなどのプラスチック素材やアルミニウム、銅、真鍮、ステンレスなどの非磁性金属素材や木材を使用することができる。
【００１５】
本発明の、磁性粒子と溶液が入った容器の外部から磁界を作用させて集磁するとは、容器の上方から容器面に対して磁石を近づけて溶液相の上端（溶液相と気相の界面に沿った位置）に集磁する方法が例示される。磁界の作用は、固定部材に固定した磁石を昇降機にて下降させる、又は磁性粒子と溶液が入っている容器を昇降機にて上昇させる等の方法により行うことができるが、操作性や容器からの液飛散の危険性を考慮すると、固定部材に固定した磁石を昇降機にて下降させる方法が好ましい。電磁石を用いる場合には電流のＯＮ／ＯＦＦにて磁力を制御できるので電磁石を固定し、前記昇降機を省略することもできる。
【００１６】
本発明の、磁性粒子を溶液相と気相の界面に沿った位置に集磁するとは、容器の上方から作用する磁界の強度を調節して磁性粒子が溶液相と気相の界面に沿うように集磁する、すなわち、容器内壁面の一部に集磁するのではなく、略円筒形の容器では溶液相と気相の界面面積と同等に広く集磁することを意味する。具体的には、溶液相と気相の界面面積の９０％以上となるように磁性粒子が広がっていることが好ましく、９５％以上となっていることがより好ましい。磁性粒子が溶液相の上端の位置に集磁されているため、磁界解除後に磁性粒子が溶液相の上端から自然沈降するのと同期して水平方向の振動が行えるため、短時間で容易に溶液相内の均一分散が達成される。
【００１７】
本発明で用いられる磁石と容器の接近距離は、磁石の磁力、磁性粒子の磁気応答性、溶液の密度や粘度などから決定される。磁石との距離が遠すぎる場合には磁性粒子が気相と溶液相の界面に沿った位置に集まらず、容器の底面や側面などに残存するため分散効率が落ちる。その反対に磁石との距離が近すぎる場合には、溶液中にある磁性粒子が飛び出して磁石自体に捕集されてしまうといった不具合が起こる。接近距離の設定に当たっては、予備的に実験を行って決定することが望ましい。
【００１８】
本発明で用いられる磁性粒子は、ガラス、金属、セラミックス等の無機物又は高分子ポリマー等の有機物の粒子表面、粒子内部もしくは粒子表面と内部の両方に磁性体を含むものであるが、材質が金属製の微粒子の場合、それ自体を磁性体として用いてもよい。磁性粒子に抗体や牛血清アルブミンなどの蛋白質が結合していてもよく、ポリエチレングリコールやポリプロピレングリコールなどの有機化合物が結合していてもよい。磁性粒子の粒子径は０．１から１００μｍが好ましく、さらには１から１０μｍが好ましい。
【００１９】
本発明に用いられる磁性粒子に含まれる磁性体は、その組成に特に限定はなく、例えば、フェライト、マグネタイト、マグヘマイト等があげられる。磁性粒子の比重は１．０から８．０が好ましく、さらには１．０から６．０がより好ましい。
【００２０】
本発明で用いられる容器の形状は特に限定はなく、略円筒形、略角筒形、又は市販のセラムチューブ等の開口部が１つの容器、９６穴マイクロタイタープレート又は３８４穴マイクロタイタープレート等の二次元方向に複数個配列されている容器、分割型９６穴マイクロタイタープレートのストリップ又は多連型カートリッジ等の一次元方向に複数個配列されている容器であってもよい。
【００２１】
本発明で用いられる容器の大きさは、容器の外部から作用させる磁界の強度に対して溶液相と気相の界面に沿った位置に集磁が可能な容器の大きさであれば制限なく使用できる。
【００２２】
本発明で用いられる容器の材質は、一例として、オレフィン系樹脂、スチレン系樹脂、ビニル系樹脂、カーボネート系樹脂、エポキシ系樹脂、アクリル系樹脂、ポリエステル系樹脂、ポリアミド系樹脂といった熱可塑性樹脂又はガラスが挙げられる。ステンレスやアルミなどの非磁性金属、アルミナやジルコニアなどのセラミック、さらには陶器や磁器等であっても特に問題なく使用できる。
【００２３】
本発明の磁性粒子分散に用いる溶媒としては、水、エタノールやメタノールなどのアルコール類、アセトンやメチルエチルケトンなどのケトン類、ジメチルスルホキシドやＮ，Ｎ−ジメチルホルムアミドなどの非プロトン性極性溶媒、ジエチルエーテル、テトラヒドロフランなどのエーテル類、ベンゼンやトルエンなどの芳香族炭化水素、ヘキサンやヘプタンなどの脂肪族炭化水素を用いることができる。これら溶媒に牛血清アルブミンやコラーゲンペプチドなどの蛋白質、Ｔｒｉｓ−ＨＣｌやＭＥＳなどの緩衝剤、アジ化ナトリウムやプロクリン３００などの防腐剤、スクロースやトレハロースなどの糖、Ｔｗｅｅｎ２０やＴｒｉｔｏｎＸ−１００などの界面活性剤等から一つもしくは二つ以上の成分が含まれていても構わない。
【００２４】
本発明の磁性粒子分散装置は、磁性粒子と溶液が入っている容器の外部から磁界を作用させて前記磁性粒子を溶液相と気相の界面に沿った位置に集磁する集磁手段と、前記容器を水平方向に振動させる攪拌手段と、を備えた分散装置である。
【００２５】
前記磁性粒子集磁手段は、磁性粒子と溶液が入っている容器の上方において磁石を固定した固定部材を昇降可能に設けた集磁手段、又は前記容器の上方において固定部材に固定された磁石に対して前記容器を保持する保持座を昇降可能に設けた集磁手段が例示される。
【００２６】
前記攪拌手段は、前記容器（溶液相と気相の界面に沿った位置に集磁した磁性粒子を含む）を保持する保持座を水平方向に直線振動及び／又は円振動させる等の単純な攪拌手段が例示される。
【実施例】
【００２７】
以下、実施例を用いて本発明をさらに詳細に説明するが、これら実施例は本発明を限定するものではない。
【００２８】
（実施例１）
図１は本発明の略円筒形容器に適用した分散装置１００の正面図である。図２は本発明の略円筒形容器に適用した分散装置１００の平面図である。表面磁束密度が２，２４３ガウス（Ｇ）のネオジム磁石１０（角型：２００ｍｍ×１５ｍｍ×５ｍｍ、５ｍｍ方向に着磁）１個をステンレス製の固定部材１１に固定し、容器ブロック５２（１６個の容器が搭載可能）に搭載した容器の上方で磁石を昇降可能にする昇降機１３ａに固定した。昇降機１３ａはプレート１２に固定し、プレート１２とともに搬送機１３ｂに沿って攪拌ポジションまで移動可能に設けた。容器は開口径６．２ｍｍ、高さ２０ｍｍの略円筒形容器５１を用いた。容器には磁性粒子７０（粒径２．５μｍ、高分子ポリマーに磁性体を含むタイプ）を、５％牛血清アルブミンを含む希釈液にて０．０８％に調製した懸濁液として５０μＬ分注した。
【００２９】
図３は図１又は２に示す分散装置１００を用いた磁性粒子の集磁完了時の容器の断面図である。昇降機１３ａを下降させてネオジム磁石１０を容器の上面から２ｍｍの距離（液面から磁石までの距離は約１９ｍｍ）まで容器の上方から接近させ、２秒間集磁して磁性粒子７０を溶液相と気相の界面に沿って広く（界面面積の１００％程度に）集め、その後、昇降機１３ａを上昇させて磁石１０の磁界を解除した。集磁が完了した容器を前記容器ブロック５２に搭載した状態で、プレート１２に固定した容器ブロック移送手段１４ａにて搬送機１３ｂに沿って攪拌ポジションに移送し、前記容器ブロックを、撹拌機１６を用い、水平方向の直線振動（振動幅２ｍｍ、振動回数２４回／秒、振動時間２秒）により磁性粒子７０を分散した（磁界解除後、振動開始まで４秒）。分散操作が完了した容器ブロックを駆動用シリンダ１５に固定した容器ブロック移送手段１４ｂにて凍結機３０（−４０℃）に移し（振動終了後、凍結機に入るまで５秒）、凍結終了後、乾燥工程を経て磁性粒子の分散性を高めた凍結乾燥製剤を得た。磁性粒子を溶液相と気相の界面に沿った位置に集磁したのち分散する方法は、略円筒形容器底面に沈降した状態から水平方向に振動を加えた分散、又は略円筒形容器の側壁に集磁した状態から振動を加えた分散に比べて短時間に達成され、かつ容器内壁面への磁性粒子の付着が生じないことを確認した。
【００３０】
（実施例２）
図４は本発明の９６穴マイクロタイタープレートに適用した分散装置２００の正面図である。図５は本発明の９６穴マイクロタイタープレートに適用した分散装置２００の平面図である。表面磁束密度が１，８４０ガウス（Ｇ）のネオジム磁石２０（角型：１５０ｍｍ×２０ｍｍ×５ｍｍ、５ｍｍ方向に着磁）５個を各磁石の第２面が相互に接するように結合して（１５０ｍｍ×１００ｍｍ×５ｍｍ）ステンレス製の固定部材２１に固定し、平底９６穴マイクロタイタープレート６１の上方で磁石を昇降可能にする昇降機２３ａに固定した。昇降機２３ａはプレート２２に固定し、プレート２２とともに搬送機２３ｂに沿って攪拌ポジションまで移動可能に設けた。各ウエルには磁性粒子８０（粒径２．５μｍ、高分子ポリマーに磁性体を含むタイプ）を、５％牛血清アルブミンを含む希釈液にて０．０８％に調製した懸濁液として１００μＬ分注した。
【００３１】
図６は図４又は５に示す分散装置２００を用いた磁性粒子の集磁完了時の９６穴マイクロタイタープレートの断面図である。昇降機２３ａを下降させてネオジム磁石２０は前記平底９６穴マイクロタイタープレートの上面から９ｍｍの距離（液面から磁石までの距離は約１５ｍｍ）まで容器の上方から接近させ、２秒間集磁して磁性粒子を溶液相と気相の界面に沿って広く（界面の１００％程度に）集め、その後、昇降機２３ａを上昇させ、磁石２０の磁界を解除した。集磁が完了した平底９６穴マイクロタイタープレート６１をプレート２２に固定したマイクロタイタープレート送手段２４ａにて搬送機２３ｂに沿って攪拌ポジションに移送し、前記平底９６穴マイクロタイタープレート６１を、撹拌機２６を用い、水平方向の円振動（水平偏心振とう：振れ幅２ｍｍ、振とう数５００ｒｐｍ、振とう時間５秒）により磁性粒子８０を分散した（磁界解除後、振動開始まで４秒）。分散操作が完了した平底９６穴マイクロタイタープレート６１を駆動用シリンダ２５に固定したマイクロタイタープレート移送手段２４ｂにて凍結機４０（−４０℃）に移し（振動終了後、凍結機に入るまで５秒）、凍結終了後、乾燥工程を経て磁性粒子の分散性を高めた凍結乾燥製剤を得た。磁性粒子を溶液相と気相の界面に沿った位置に集磁したのち分散する方法は、平底９６穴マイクロタイタープレート底面に集磁した状態から振動を加えた分散に比べて短時間に達成され、かつ容器内壁面への磁性粒子の付着が生じないことを確認した。さらに、容器の上方から磁界を作用させることができるため磁石を容器側面に配置する必要がなく、かつ水平方向に振動させる分散方法であるため、分析に多用されている９６穴マイクロタイタープレート等の二次元方向に複数個配列されている形状の容器にも容易に適用することができた。
【００３２】
また、本発明の分散方法は、凍結乾燥製剤の製造のみならず、前記のように製造して得られた凍結乾燥製剤入り９６穴マイクロタイタープレートを用いて免疫測定する場合においても、免疫反応工程、洗浄工程、酵素反応工程、等の直前に行う磁性粒子の分散方法としても使用することができる。
【００３３】
（比較例１）
実施例１と同様のネオジム磁石、容器ブロック、略円筒形容器、磁性粒子、希釈液を使用した。
【００３４】
０．０８％に調製した懸濁液を略円筒形容器に５０μＬ分注した。ネオジム磁石を容器の底面から２０ｍｍの距離まで容器の下方から接近させ、２秒間集磁して磁性粒子を容器の底面に集め、その後ネオジム磁石の磁界を解除した。集磁が完了した容器を前記容器ブロックに搭載した状態で、前記容器ブロックを、撹拌機を用い水平方向の直線振動（振動幅２ｍｍ、振動回数２４回／秒、振動時間２秒）により磁性粒子を分散した（磁界解除後、振動開始まで４秒）。容器底面を確認したところ、磁性粒子の底面付着が確認された。
【００３５】
（比較例２）
実施例１と同様のネオジム磁石、容器ブロック、略円筒形容器、磁性粒子、希釈液を使用した。
【００３６】
０．０８％に調製した懸濁液を略円筒形容器に５０μＬ分注した。ネオジム磁石を容器の側面から２０ｍｍの距離まで容器の片方側面から接近させ、２秒間集磁して磁性粒子を容器の側面に集め、その後ネオジム磁石の磁界を解除した。集磁が完了した容器を前記容器ブロックに搭載した状態で、前記容器ブロックを、撹拌機を用い水平方向の直線振動（振動幅２ｍｍ、振動回数２４回／秒、振動時間２秒）により磁性粒子を分散した（磁界解除後、振動開始まで４秒）。容器側面を確認したところ、磁性粒子の側面付着が確認された。
【符号の説明】
【００３７】
１０、２０：                      ネオジム磁石
１１、２１：                      固定部材
１２、２２：                      プレート
１３ａ、２３ａ：                  昇降機
１３ｂ、２３ｂ：                  搬送機
１４ａ、１４ｂ：                  容器ブロック移送手段
１５、２５：                      シリンダ
１６、２６：                      撹拌機
２４ａ、２４ｂ：                  マイクロタイタープレート移送手段
３０、４０：                      凍結機
５１：                            略円筒形容器
５２：                            容器ブロック
６１：                            平底９６穴マイクロタイタープレート
７０、８０：                      磁性粒子
１００、２００：                  分散装置
【図１】
2018094515.tif 000003
【図２】
2018094515.tif 000004
【図３】
2018094515.tif 000005
【図４】
2018094515.tif 000006
【図５】
2018094515.tif 000007
【図６】
2018094515.tif 000008